(57)【要約】      （修正有）【課題】最適な視覚効果が得られ、走行の安全性を高めることができる狭隅角拡散片ヘッドアップディスプレイデバイスを提供する。【解決手段】狭隅角拡散片ヘッドアップディスプレイデバイスはプロジェクションモジュール３、狭隅角拡散片４、反射鏡５を有し、直角錐型、円球形、又は弧状形のマイクロ凹面鏡の横長アレイ配列を利用し、最も理想的な狭隅角拡散片４を提供し、最適な視覚効果を得ることができる。プロジェクションモジュール３は反射鏡５付近に位置し、狭隅角拡散片４はプロジェクションモジュール３と反射鏡５に対面する。これによりヘッドアップディスプレイデバイスの使用制限と輝度問題を克服し、走行の安全性を高めることができる。【選択図】図３
0003210705.tif 000002
【実用新案登録請求の範囲】
【請求項１】
狭隅角拡散片ヘッドアップディスプレイデバイスであって、プロジェクションモジュール、狭隅角拡散片、反射鏡を有し、
前記プロジェクションモジュールは、画像光源を投射し、
前記狭隅角拡散片は、マイクロ凹面鏡の配列で、前記画像光源は、前記狭隅角拡散片に投射され、
前記狭隅角拡散片は、前記画像光源を前記反射鏡へと反射し、
前記プロジェクションモジュールは、前記反射鏡の同一側に位置し、前記狭隅角拡散片は、前記プロジェクションモジュールと前記反射鏡に対面することを特徴とする狭隅角拡散片ヘッドアップディスプレイデバイス。
【請求項２】
前記マイクロ凹面鏡の配列は、横長アレイ配列であることを特徴とする請求項１に記載の狭隅角拡散片ヘッドアップディスプレイデバイス。
【請求項３】
前記マイクロ凹面鏡は、直角錐型凹面鏡で、
前記プロジェクションモジュールは、前記反射鏡付近に位置することを特徴とする請求項１に記載の狭隅角拡散片ヘッドアップディスプレイデバイス。
【請求項４】
前記マイクロ凹片鏡は、円球形凹面鏡で、
前記プロジェクションモジュールは、前記反射鏡付近に位置することを特徴とする請求項１に記載の狭隅角拡散片ヘッドアップディスプレイデバイス。
【請求項５】
前記マイクロ凹面鏡は、弧状凹面鏡であることを特徴とする請求項１に記載の狭隅角拡散片ヘッドアップディスプレイデバイス。
【請求項６】
前記マイクロ凹面鏡の配列中のすべてのマイクロ凹面鏡と前記狭隅角拡散片は、斜角を形成することを特徴とする請求項１に記載の狭隅角拡散片ヘッドアップディスプレイデバイス。
【請求項７】
前記マイクロ凹面鏡の配列中のすべてのマイクロ凹面鏡は、それぞれ異なる角度を有することを特徴とする請求項１に記載の狭隅角拡散片ヘッドアップディスプレイデバイス。
【請求項８】
前記狭隅角拡散片は、少なくとも１個の屈折を有する平面であることを特徴とする請求項１に記載の狭隅角拡散片ヘッドアップディスプレイデバイス。
【請求項９】
前記反射鏡は、凹面鏡であることを特徴とする請求項１に記載の狭隅角拡散片ヘッドアップディスプレイデバイス。
【請求項１０】
前記狭隅角拡散片は、曲面であることを特徴とする請求項１に記載の狭隅角拡散片ヘッドアップディスプレイデバイス。
【考案の詳細な説明】
【技術分野】
【０００１】
本考案は狭隅角拡散片ヘッドアップディスプレイデバイスに関し、特に最適化された視覚効果を提供可能なヘッドアップディスプレイデバイスで、マイクロ凹面鏡の配列構成を利用し理想の狭隅角拡散片に近づけ、これによりＨＵＤヘッドアップディスプレイデバイスの使用制限及び輝度問題を克服でき、最適な視覚効果を獲得し、こうして走行の安全性を高める狭隅角拡散片ヘッドアップディスプレイデバイスに関する。
【背景技術】
【０００２】
現在、自動車に使用されているヘッドアップディスプレイ技術は、光学システムである。
それは通常、プロジェクター、コンバイナーにより組成される。
プロジェクターは、信号光源、投影レンズ、他の光学パーツにより組成される。
プロジェクターの信号光源は、ＬＣＤ液晶ディスプレイ、或いはプロジェクターと撮影画面或いは拡散片等デバイスにより構成される。
信号光源が発した光線は、プロジェクターによりダッシュボード或いはフロントガラス上のコンバイナー（ｃｏｍｂｉｎｅｒ、特製の半透明凹面鏡）に投射される。
さらに、コンバイナーにより文字或いは画像を表示し、眼前の実景と重ねる。
この種の組合せのヘッドアップディスプレイをＣＨＵＤ（ｃｏｍｂｉｎｅｒ  ｔｙｐｅ、ＨＵＤ）と呼ぶ。
別の形式にはＨＵＤがある。
これは、信号光源が光線を発し、プロジェクターを経てダッシュボード下方の凹面鏡に投射し、拡大し、フロントガラスに反射する。
さらに、フロントガラスに表示する文字或いは画像と眼前の実景とを重ねる。
この種の組合せのヘッドアップディスプレイをＷＨＵＤ  （ｗｉｎｄｓｈｉｅｌｄ  ｔｙｐｅ  ＨＵＤ）と呼ぶ。
【０００３】
従来のＷＨＵＤ（ｗｉｎｄｓｈｉｅｌｄ  ｔｙｐｅ  ＨＵＤ）は、空間の制限を受け、一般に虚像結像距離は通常、運転者の目から２．５ｍ以上離れた位置にはならないが、実際の必要ではこれでは不十分である。
このため、業界と自動車メーカーは、７ｍを目標に掲げている。
従来のＷＨＵＤは体積が非常に大きいため、すべての車両ダッシュボード下方に十分な空間があるわけではない。
よって現在では、大型車両にのみ適用され、小型車両に設置されているＨＵＤは、ＣＨＵＤ（ｃｏｍｂｉｎｅｒ  ｔｙｐｅ  ＨＵＤ）を採用しているが、その虚像結像距離は、さらに短い。
【０００４】
遠距離の虚像結像を得るには、理論的には、凹面鏡の拡大倍数を大きくすれば達成されるが、実際には、観賞者に目眩を感じさせる。
目眩の発生を回避するため、凹面鏡と実像スクリーン（プロジェクターの拡散片或いはＴＦＴ）が構成する物体距離を長くするのは、一つの解決方法である。
しかし、従来の一体式のＨＵＤは、ダッシュボード下方の空間の制限を受けるため、物体距離を長くするのは、実際には困難である。
しかも、同様のサイズの実像スクリーンにおいて、凹面鏡との距離を伸ばせば、虚像距離は遠くなるが、虚像サイズは大きくならないため、相対視覚識別度は距離に比例して低下する。
【０００５】
実像スクリーン（プロジェクター拡散片或いはＴＦＴ）を、自動車天井とフロントガラスの境界位置に設置し、反射凹面鏡をダッシュボード下方に設置すれば、従来の一体式ＷＨＵＤの３倍の左右物体距離に近い距離（１８ｃｍが５０〜７０ｃｍに変わる）を得ることができる。
しかも、ダッシュボード下方を占拠する体積は、従来のＨＵＤより小さいため、多くの車種に適用することができる。
しかし、もともとの視覚識別度を維持するためには、少なくとも等比例で実像スクリーンを拡大する必要がある。
けれども、ＴＦＴを拡大するのは、非常に困難な事で、高輝度バックライトの必要がある。
ＴＦＴの背後には、ライトカップがなければ、十分な輝度を提供することはできない。
これでは、ＴＦＴを１．８インチから５．４インチに拡大すると、ＴＦＴ全体の体積は、運転者前方の天井に超大型ＴＦＴの怪物が出現するに等しく、しかもコストと美観の上からも受け入れられる者ではない。
【０００６】
図１に示す通り、プロジェクター１（ＤＬＰプロジェクター或いはレーザープロジェクターなど）は、イメージスクリーン或いは拡散片を結像平面として結像する必要がある。
リアプロジェクションを採用するプロジェクターは、拡散片の背面に設置し、半透明貫通式拡散片を使用する。
プロジェクター１の原理は、１個の画面を、スキャンの方式を利用し、被投射平面の各１個の点に対して、異なる色と輝度光点を投射し、これら光点を通して１個の画面を組成する。
仮に、結像平面がスクリーン或いは拡散片でなく、鏡面反射鏡２の反射平面２１であるなら、反射鏡入射角は反射角に等しいため、プロジェクター１は鏡面反射鏡２の反射平面２１の画面に投射し、一点の光のみが特定観賞者の目Ｅ内に反射される。
よって、観賞者は、どの角度であろうと、１個の点光源しか見られず、完全な画面を見ることはできない。
【０００７】
図２に示す通り、完全な画面が見られるようにするため、プロジェクター１使用時に投射する反射平面を、鏡面反射平面とせず、マット平面２２とする。
マット平面２２に投射することで、反射された光線を散乱させ、反射光は各反射角度に分散する。
このマット平面２２を、拡散片と呼び、光線は一平面に届き、一部の光線は吸収され、残った光線だけが反射する。
もしさらに、反射光線が各角度に反射するなら、各角度で画面全体を見ることができるが、単一の角度で得られる光量は非常に小さくなるため、プロジェクター１の再生時には、通常は比較的暗い環境が好ましい。
良い投影スクリーンは、反射を拡大する粉末を含み、光線の吸収を減らし反射光の強度を拡大するが、コストが大きく拡大する反面、効果には限界がある。
この種の方式は、実は吸収される光線の割合を減らすだけであり、各角度に分散することで生じる損失を解決するものではない。
【０００８】
上記した問題を解決するため、これまで様々な技術方案が提出されてきた。
それらは特許文献１、特許文献２、特許文献３、特許文献４、特許文献５、特許文献６、特許文献７、特許文献８、特許文献９に開示する。
【０００９】
上記した特許文献に開示するように、ヘッドアップディスプレイデバイスの使用機能は向上しているが、やはり克服が困難な以下のような問題が残っている。
１.上記した特許文献においては、すでに反射鏡配列の技術を運用してはいるが、それが投射する標準距離画像と実際の距離画像との間には、やはり視覚上の落差という問題が存在する。この種の視覚上の落差現象で、視覚上の目眩感を感じやすい運転者も存在するため、走行の安全性に影響を与える。
２.従来の技術においては、光源投射には、より長い空間と距離が必要であるが、この種の制限は、すべての車種に適用できるものではない。そのため、ＨＵＤヘッドアップディスプレイデバイスの使用制限を克服するため、反射の効率と輝度を高めるようと、広視野角のプロジェクションモジュール（或いはプロジェクター）を使用するなど、より高価な配備が必要となってしまう。この種の方式は、設備のコストを無駄にするだけで、投射効率はやはり低い。
【先行技術文献】
【特許文献】
【００１０】
【特許文献１】台湾特許第２０１６３６６８０号明細書
【特許文献２】台湾特許第２０１６２４１０１号明細書
【特許文献３】台湾特許第Ｉ３６７４０５号明細書
【特許文献４】台湾特許第Ｉ４４９９５０号明細書
【特許文献５】台湾特許第Ｉ５０６２９９号明細書
【特許文献６】台湾特許第Ｉ４７９２３６号明細書
【特許文献７】台湾特許第Ｉ４８５４３２号明細書
【特許文献８】台湾特許第Ｍ４５５１８２号明細書
【特許文献９】台湾特許第Ｍ３２８０１４号明細書
【考案の概要】
【考案が解決しようとする課題】
【００１１】
前記先行技術には、視覚上の落差現象を生じるため、目眩を感じやすい運転者にとっては走行の安全性に影響を与え、また適用車種を増やすために高価な配備を採用しても、投射効率はやはり高くないという欠点がある。
【課題を解決するための手段】
【００１２】
本考案は最適な視覚効果を備えるヘッドアップディスプレイデバイスで、マイクロ凹面鏡配列を利用し理想に近い狭隅角拡散片を構成し、拡散された反射光範囲をＨＵＤの凹面鏡上に集中拡散し、これによりＨＵＤヘッドアップディスプレイデバイスの使用制限及び輝度の問題を克服し、最適な視覚効果を獲得し、こうして走行の安全性を高めることができる狭隅角拡散片ヘッドアップディスプレイデバイスに関する。
【００１３】
本考案による狭隅角拡散片ヘッドアップディスプレイデバイスは、プロジェクションモジュール、狭隅角拡散片、反射鏡を有する。
該プロジェクションモジュールは、画像光源Ｌを投射する。
該狭隅角拡散片は、マイクロ凹面鏡の配列で、該画像光源は、該狭隅角拡散片に投射される。
該狭隅角拡散片は、該画像光源を該反射鏡へと反射する。
該プロジェクションモジュールは、該反射鏡の同一側に位置し、該狭隅角拡散片は、該プロジェクションモジュールと該反射鏡に対面する。
【００１４】
該マイクロ凹面鏡の配列は、横長アレイ配列である。
【００１５】
該マイクロ凹面鏡は、直角錐型凹面鏡で、該プロジェクションモジュールは、該反射付近に位置する。
【００１６】
該マイクロ凹片鏡は、円球形凹面鏡で、該プロジェクションモジュールは、該反射鏡付近に位置する。
【００１７】
該マイクロ凹面鏡は、弧状凹面鏡である。
【００１８】
該マイクロ凹面鏡の配列中のすべてのマイクロ凹面鏡と該狭隅角拡散片は、斜角を形成する。
【００１９】
該マイクロ凹面鏡の配列中のすべてのマイクロ凹面鏡は、それぞれ異なる角度を有する。
【００２０】
該狭隅角拡散片は、少なくとも１個の屈折を有する平面である。
【００２１】
該反射鏡は、凹面鏡である。
【００２２】
該狭隅角拡散片は、曲面である。
【考案の効果】
【００２３】
本考案は、マイクロ凹面鏡の配列を利用し、最も理想的な狭隅角拡散片を提供し、拡散された反射光範囲がＨＵＤの凹面鏡を覆うことを基礎とし、余分な出費をし、広視野角のプロジェクションモジュール（或いはプロジェクター）を使用する必要はなく、これによりＨＵＤヘッドアップディスプレイデバイスの使用制限を克服することができる。
本考案のこの種の理想の狭隅角拡散片はマイクロ凹面鏡配列により構成される反射式拡散片で、本考案を通して、ＤＬＰの、ＨＵＤ凹面鏡に対する結像の輝度を数十倍、さらには百倍にまで高めることができる。
これにより、プロジェクターＨＵＤの輝度問題を解決し、最適化された視覚効果を提供可能なヘッドアップディスプレイデバイスにより、走行の安全性を高めることができる。
【図面の簡単な説明】
【００２４】
【図１】従来のプロジェクションデバイスの実施模式図である。
【図２】従来のプロジェクションデバイスの別種の実施模式図である。
【図３】本考案の第一実施形態の模式図である。
【図４】本考案の第二実施形態の模式図である。
【図４Ａ】本考案の第二実施形態の局部拡大模式図である。
【図５】本考案の第三実施形態の模式図である。
【図５Ａ】本考案の第三実施形態の局部拡大模式図である。
【図６】本考案の第四実施形態の模式図である。
【図６Ａ】本考案の第四実施形態の局部拡大模式図である。
【図７】本考案の第五実施形態の模式図である。
【図８】本考案の第六実施形態の模式図である。
【考案を実施するための形態】
【００２５】
（一実施形態）
図３に示す通り、本考案の狭隅角拡散片ヘッドアップディスプレイデバイスの第一実施形態は、プロジェクションモジュール３、狭隅角拡散片４、反射鏡５を有する。
【００２６】
プロジェクションモジュール３は、画像光源Ｌを投射する。
プロジェクションモジュール３は、デジタル光処理デバイス（Ｄｉｇｉｔａｌ  Ｌｉｇｈｔ  Ｐｒｏｃｅｓｓｉｎｇ、ＤＬＰ）プロジェクターで、プロジェクターとリアプロジェクションテレビに使用されるイメージング技術である。
【００２７】
狭隅角拡散片４は、マイクロ凹面鏡の配列により構成される狭隅角拡散片で、プロジェクションモジュール３の画像光源Ｌは、狭隅角拡散片４に投射される。
【００２８】
狭隅角拡散片４は、画像光源Ｌを反射鏡５に反射する。
反射鏡５は、凹面鏡である。
【００２９】
プロジェクションモジュール３は、反射鏡５の同一側に位置する。
狭隅角拡散片４は、プロジェクションモジュール３と反射鏡５に対面する。
【００３０】
本考案の狭隅角拡散片４は、プロジェクションモジュール３の画像光源Ｌを反射し、反射鏡５の範囲にのみちょうど投射する。
こうして、最適な投射効率を得ることができる。
なぜなら、投射面積が大きすぎれば、反射鏡５の外に投射される反射光線は無駄になってしまうからである。
一般のヘッドアップディスプレイデバイスは、強い太陽光の下で使用される可能性があるため、それが必要とする輝度は極めて高い。
これは、プロジェクションモジュール３の輝度に沿っては、大きなチャレンジである。
よって、プロジェクションモジュール３が発する光量を十分に使用し、無駄遣いを減らすのは、非常に重要な課題である。
この課題のキーポイントは、狭隅角拡散片４の設計にある。
理想的な狭隅角拡散片４の光線反射率は、１００％に達し、しかも反射の画像光源Ｌは、ちょうどヘッドアップディスプレイデバイスの反射鏡５を覆いながら、はみ出さないことが望ましい。
すなわち、理想の狭隅角拡散片４に近づけば近づくほど、得られる効果は高くなる。
【００３１】
狭隅角拡散片４は、マイクロ凹面鏡の配列であり、多数のマイクロ凹面鏡を利用し横長アレイ配列、つまり矩形の配列を構成する。
各１個のマイクロ凹面鏡は、反射鏡５上に集中反射する。
この種の状況下では反射鏡５にとっては、各１個のマイクロ凹面鏡は、ディスプレイ上の１個の画素（ｐｉ×ｅｌ）を代表する。
よって、マイクロ凹面鏡の数は、スクリーン解析度の上限を表す。
例えば、幅が各４８０×２４０なら合計１１５，２００個のマイクロ凹面鏡により構成される配列ということであり、つまり結像の最高解析度を制限する。
よって、プロジェクションモジュール３のオリジナルの解析度がどんなに高くとも意味がなく、キーポイントはやはり狭隅角拡散片４のマイクロ凹面鏡数量の多寡及びその投射効率である。
【００３２】
狭隅角拡散片４は、マイクロ凹面鏡の配列により構成される狭隅角拡散片で、プロジェクションモジュール３は、反射鏡５付近に位置する。
その長所は、狭隅角拡散片４は比較的明るく、それほどマットでなくともいいということである。
これにより、光線の吸収率を減らせ、反射率を拡大できる。
【００３３】
図４、図４-１に示す通り、本考案の狭隅角拡散片ヘッドアップディスプレイデバイスの第二実施形態による狭隅角拡散片４は、マイクロ凹面鏡の配列により構成される狭隅角拡散片である。
プロジェクションモジュール３は、反射鏡５付近に位置する。
マイクロ凹面鏡は、直角錐型凹面鏡４１で、マイクロ凹面鏡の配列は、直角錐形凹面鏡４１配列である。
直角錐形凹面鏡４１直角特性中入射線と反射線平行の原理を利用し、直角錐型凹面鏡４１が完全に光沢面であるなら、その反射光線はほとんど完全に入射光の光源点上に反射する。
但し、直角錐型凹面鏡４１がいくらかマットなら、その反射光線は、入射光の光源点付近で、１個の特定範囲の反射面を形成する。
反射鏡５は、この反射面の反射範囲Ｄ内においてのみ、反射拡散光を受け取ることができる。
【００３４】
図５、図５-１に示す通り、本考案の狭隅角拡散片ヘッドアップディスプレイデバイスの第三実施形態において、狭隅角拡散片４は、マイクロ凹面鏡の配列により構成される狭隅角拡散片である。
プロジェクションモジュール３は、反射鏡５付近に位置する。
マイクロ凹面鏡は、円球形凹面鏡４２で、即ちマイクロ凹面鏡の配列は、円球形凹面鏡４２配列である。
円球形凹面鏡４２がややマットな凹面鏡である時、透明の円球形凹面鏡４２の反射特性中入射線と反射線平行の原理を利用する。
円球形凹面鏡４２が完全に光沢面であるなら、その反射光線はほとんど完全に入射光の光源点上に反射する。
但し、円球形凹面鏡４２がいくらかマットなら、その反射光線は、入射光の光源点付近で、１個の特定範囲の反射面を形成し、反射鏡５は、この反射面の反射範囲Ｄ内においてのみ、反射拡散光を受け取ることができる。
【００３５】
図６、図６-１に示す通り、本考案の狭隅角拡散片ヘッドアップディスプレイデバイスの第四実施形態において、狭隅角拡散片４は、マイクロ凹面鏡の配列により構成される狭隅角拡散片である。
マイクロ凹面鏡は、弧状凹面鏡４３で、即ちマイクロ凹面鏡配列は、弧状凹面鏡４３配列である。
弧状凹面鏡４３配列は、弧状凹面鏡４３集光原理を利用し、各弧状凹面鏡４３をそれぞれ異なる角度に設計する。
投射距離が弧状凹面鏡４３を超える集光点であれば、光線は反対に分散する。
プロジェクションモジュール３の光源、狭隅角拡散片４と反射鏡５の位置がすでに確定しているなら、狭隅角拡散片４上の各弧状凹面鏡４３の設置角度と弧状半径を精密に計算することで、各弧状凹面鏡４３が反射する光線は、ほとんど反射鏡５を覆うことができ、最も有効な光源利用を達成できる。
弧状凹面鏡配列の各弧状凹面鏡４３は、１００％に近い反射率の状態まで研磨でき、よってプロジェクションモジュール３全体の光線利用率は、ほとんど９０％を超過し、広角拡散片の光線利用率が一桁しかないのに比べ、数十倍を超える性能を達成できる。
よって、本考案の狭隅角拡散片ヘッドアップディスプレイデバイスは、最高性能のプロジェクター拡散片である。
【００３６】
マイクロ凹面鏡は、弧状凹面鏡４３で、弧状凹面鏡４３により構成される配列の長所は、鏡面反射時の光線吸収率を最低にまで低下させられる。
もう一つの長所は、反射光線拡散された範囲を制限することで、反射光線は反射鏡５上に、充分に集中して投射される。
特にマイクロ凹面鏡は、弧状凹面鏡４３で、弧状凹面鏡４３により構成される配列であるため、その拡散範囲は、反射鏡５の範囲にほぼ等しく、プロジェクションモジュール３が出力する画像光源Ｌは、充分に利用される。
【００３７】
ＡＲ  ＨＵＤ  （ａｕｇｍｅｎｔｅｄ  ｒｅａｌｉｔｙ  ＨＵＤ）  では、虚像は地面とできるだけ平行に密着することが必要で、これにより、ナビゲーション矢印虚像は前方道路上に貼り付く。
ＴＦＴ或いは従来のプロジェクター拡散片などの一般の実像平面は、平面に垂直な輝度が最大で、垂直線との角度が大きくなればなるほど輝度は低くなり、虚像と運転視線は垂直でなく、画像輝度を犠牲にしてしまう。
図７に示す通り、本考案の狭隅角拡散片ヘッドアップディスプレイデバイスの第五実施形態において、マイクロ凹面鏡４４の配列中のすべてのマイクロ凹面鏡４４と狭隅角拡散片４とは、斜角θを形成する。
これにより、拡散片とＨＵＤの光軸とはθ＋ａの角度（ａは角度の設定差値を表す）を形成する。
これにより、ＨＵＤの虚像と運転視角とはθ＋ａの角度を形成し、地面とさらに平行に密着し、虚像と実像のフィット効果を達成できる。
【００３８】
ＡＲ  ＨＵＤ  （ａｕｇｍｅｎｔｅｄ  ｒｅａｌｉｔｙ  ＨＵＤ）では、虚像は地面とできるだけ平行に密着することが必要で、これによりナビゲーション矢印虚像は前方道路上に貼り付くが、一般のインフォメーションは、やはりできるだけ運転視角に垂直なエリアが、比較読み易いエリアである。
理想のＨＵＤは、好ましくは異なる応用に基づき、異なる表示角度の虚像を有する。
図８に示す通り、本考案の狭隅角拡散片ヘッドアップディスプレイデバイスの第六実施形態において、狭隅角拡散片４は、曲面或いは屈折を有する平面で、画像を屈折させることができる。
これにより、虚像６は立体を結像し、狭隅角拡散片ヘッドアップディスプレイデバイスの表示内容は、符号矢印６１と文字６２を含む。
符号矢印６１は、地面とできるだけ水平に平行である必要があり、画像は比較的水平に近くなければならないが、文字６２は、やはり垂直が読みやすいため、文字部分はできるだけ垂直とする。
【００３９】
本考案の狭隅角拡散片ヘッドアップディスプレイデバイスは、以上の各実施形態の実施により、狭隅角拡散片４のマイクロ凹面鏡の配列を利用し、最も理想的な狭隅角拡散片４を提供する。
拡散された反射光範囲は、ＨＵＤの凹面鏡をだいたい覆うことができればそれでよく、余分な無駄遣いをして、広視野角のプロジェクションモジュール（或いはプロジェクター）を使用する必要はなく、これにより、ＨＵＤヘッドアップディスプレイデバイスの使用制限を克服する。
本考案によるこの種の理想の狭隅角拡散片４は、マイクロ凹面鏡の配列により構成される反射式拡散片を利用し、本考案を用いることで、プロジェクターがＨＵＤ凹面鏡に結像する輝度を数十倍、さらには百倍にまで高めることができる。
即ち本考案は、プロジェクターＨＵＤの輝度問題を効果的に解決でき、最適化された視覚効果を提供可能なヘッドアップディスプレイデバイスで、これにより走行の安全性を高めることができる。
【００４０】
上記を総合すると、本考案の狭隅角拡散片ヘッドアップディスプレイデバイスは、マイクロ凹面鏡の配列により構成される狭隅角拡散片を利用し、従来の構造に存在する視覚問題を解決し、しかもそれが用いる技術手段は、従来の技術には見られないため、本考案は実用新案の新規性及び進歩性の要件を有する。
【符号の説明】
【００４１】
１  プロジェクター
２  鏡面反射鏡
２１  反射平面
２２  マット平面
Ｅ  目
３  プロジェクションモジュール
４  狭隅角拡散片
４１  直角錐型凹面鏡
４２  円球形凹面鏡
４３  弧状凹面鏡
４４  マイクロ凹面鏡
５  反射鏡
６  虚像
６１  符号矢印
６２  文字
Ｄ  反射範囲
Ｌ  画像光源
θ  斜角
【図１】
0003210705.tif 000003
【図２】
0003210705.tif 000004
【図３】
0003210705.tif 000005
【図４】
0003210705.tif 000006
【図４Ａ】
0003210705.tif 000007
【図５】
0003210705.tif 000008
【図５Ａ】
0003210705.tif 000009
【図６】
0003210705.tif 000010
【図６Ａ】
0003210705.tif 000011
【図７】
0003210705.tif 000012
【図８】
0003210705.tif 000013